(57)【要約】  電子文書における表示中の頁の位置付けを容易に把握することができる技術を提供する。２以上の階層を有する電子文書の目次を表し、ディスプレイに表示する目次画像を生成する目次画像生成部（１１２）と、電子文書の本文を表し、ディスプレイに表示する本文画像を生成する本文画像生成部（１１３）を備え、目次画像生成部は、本文画像生成部が生成する本文画像に対応する項目を含む上位項目が変化した時に、生成する目次画像において展開して表示する上位項目を変化後の上位項目に変更するテレビジョン受像機（１）。
2016072298.tif 000002
【特許請求の範囲】
【請求項１】
電子文書を表す画像をディスプレイに表示する画像表示装置であって、
上記電子文書の２以上の階層を有する目次を表す目次画像であって、上記ディスプレイに表示する目次画像を生成する目次画像生成部と、
上記電子文書の頁を表す頁画像であって、上記ディスプレイに表示する頁画像を生成する頁画像生成部と、を備え、
上記目次画像生成部は、上記頁画像生成部が生成する頁画像に対応する項目を含む上位項目が第１の上位項目から第２の上位項目に変化したことを契機として、生成する目次画像において展開する上位項目を上記第１の上位項目から上記第２の上位項目に変更する、
ことを特徴とする画像表示装置。
【請求項２】
上記目次画像生成部が生成する目次画像には、上記頁画像生成部が生成する頁画像に対応する項目が、当該項目を含む上位項目に含まれる他の項目と識別可能に描画される、
ことを特徴とする請求項１に記載の画像表示装置。
【請求項３】
上記目次画像生成部は、上記頁画像生成部が生成する頁画像に対応する項目を含む上位項目が第１の上位項目から第２の上位項目に変化したことを契機として、生成する目次画像において展開されていた上記第１の上位項目を閉じる、
ことを特徴とする請求項１または２に記載の画像表示装置。
【請求項４】
当該画像表示装置は、上記目次画像の一部を表示するものであり、上記頁画像生成部が生成する頁画像に対応する項目が表示対象から外れているときに、当該項目が表示対象に含まれるように、上記目次画像をスクロールする、
ことを特徴とする請求項１から３のいずれか一項に記載の画像表示装置。
【請求項５】
操作対象が上記頁画像から上記目次画像に切り替えられたときに、上記目次画像生成部は、生成する目次画像を、上記頁画像生成部が生成する頁画像に対応する項目が操作対象であることを示すように描画された目次画像に切り替える、
ことを特徴とする請求項１から４のいずれか一項に記載の画像表示装置。
【請求項６】
上記頁画像生成部が生成する頁画像には、上記頁画像を切り替えるための頁切り替えボタンが含まれ、
操作対象が上記目次画像から上記頁画像に切り替えられたときに、上記頁画像生成部は、生成する頁画像を、上記頁切り替えボタンが操作対象であることを示すように描画された頁画像に切り替える、
ことを特徴とする請求項１から５のいずれか一項に記載の画像表示装置。
【請求項７】
上記頁画像生成部が生成する頁画像には、上記頁画像を切り替えるための頁切り替えボタンが含まれ、
上記頁画像が切り替えられたときに、上記頁画像生成部は、生成する頁画像を、上記頁切り替えボタンが操作対象であることを示すように描画された頁画像に切り替える、
ことを特徴とする請求項１から６のいずれか一項に記載の画像表示装置。
【請求項８】
上記頁画像生成部は、
リモコンでカラーキーが押されたときに、上記頁画像を切り替える、
ことを特徴とする請求項１から７のいずれか一項に記載の画像表示装置。
【請求項９】
請求項１から８のいずれか一項に記載の画像表示装置を備える
ことを特徴とするテレビジョン受像機。
【請求項１０】
電子文書を表す画像をディスプレイに表示する画像表示方法であって、
上記電子文書の２以上の階層を有する目次を表す目次画像であって、上記ディスプレイに表示する目次画像を生成する目次画像生成ステップと、
上記電子文書の頁を表す頁画像であって、上記ディスプレイに表示する頁画像を生成する頁画像生成ステップと、を実行し、
上記目次画像生成ステップにおいて、上記頁画像生成ステップで生成される頁画像に対応する項目を含む上位項目が第１の上位項目から第２の上位項目に変化したことを契機として、生成する目次画像において展開する上位項目を上記第１の上位項目から上記第２の上位項目に変更する、
ことを特徴とする画像表示方法。
【発明の詳細な説明】
【技術分野】
【０００１】
本発明は、電子文書を表す画像をディスプレイに表示する画像表示装置、テレビジョン受像機、および、画像表示方法に関する。
【背景技術】
【０００２】
従来から、電気機器の電子取扱説明書などの電子文書が普及している。このような電子文書を表す画像をディスプレイに表示する画像表示装置には、電子文書に含まれる目次および本文（頁）を異なる領域に同時に表示するものがあり、さらに、目次を構成する項目を階層化して表示するものがある。【０００３】
例えば、特許文献１には、本文領域のカーソル位置に対応する見出しを目次領域に表示し、目次領域のカーソル位置に対応する文書を本文領域に表示する文書処理装置が開示されている。特許文献２には、ユーザの操作により、目次を構成する項目が開閉可能な電子マニュアル表示装置が開示されている。ここで、項目を開くとは、その項目の下位項目を可視化することを指し、項目を閉じるとは、その項目の下位項目を不可視化することを指す。特許文献３には、表示装置の属性に基づいたルールに従って目次の要約版を作成し、表示領域が小さいディスプレイに対しても目次の表示を可能とする電子文書変換装置が開示されている。
【先行技術文献】
【特許文献】
【０００４】
【特許文献１】日本国公開特許公報「特開平８−１４７３０１号公報（１９９６年６月７日公開）」
【特許文献２】日本国公開特許公報「特開２００６−２７７３９７号公報（２００６年１０月１２日公開）」
【特許文献３】日本国公開特許公報「特開２０１２−１４１７０２号公報（２０１２年７月２６日公開）」
【発明の概要】
【発明が解決しようとする課題】
【０００５】
しかしながら、上述のような従来技術では、表示中の頁が閉じた項目の下位項目に対応する場合、その下位項目が不可視であるため、表示中の頁が電子文書のどの部分であるのかをユーザが把握し難いという問題があった。また、その下位項目にカーソルを位置付けることができないという問題もあった。【０００６】
本発明は、上記課題に鑑みてなされたものであり、その目的は、電子文書における表示中の頁の位置付けを容易に把握することができる技術を提供することにある。
【課題を解決するための手段】
【０００７】
上記課題を解決するために、本発明の一態様に係る画像表示装置は、電子文書を表す画像をディスプレイに表示する画像表示装置であって、上記電子文書の２以上の階層を有する目次を表す目次画像であって、上記ディスプレイに表示する目次画像を生成する目次画像生成部と、上記電子文書の頁を表す頁画像であって、上記ディスプレイに表示する頁画像を生成する頁画像生成部と、を備え、上記目次画像生成部が、上記頁画像生成部が生成する頁画像に対応する項目を含む上位項目が第１の上位項目から第２の上位項目に変化したことを契機として、生成する目次画像において展開表示する上位項目を上記第１の上位項目から上記第２の上位項目に変更する構成である。【０００８】
また、本発明の一態様に係るテレビジョン受像機は、上記画像表示装置を備える構成である。【０００９】
そして、本発明の一態様に係る画像表示方法は、電子文書を表す画像をディスプレイに表示する画像表示方法であって、上記電子文書の２以上の階層を有する目次を表す目次画像であって、上記ディスプレイに表示する目次画像を生成する目次画像生成ステップと、上記電子文書の頁を表す頁画像であって、上記ディスプレイに表示する頁画像を生成する頁画像生成ステップと、を実行し、上記目次画像生成ステップにおいて、上記頁画像生成ステップで生成される頁画像に対応する項目を含む上位項目が第１の上位項目から第２の上位項目に変化したことを契機として、生成する目次画像において展開する上位項目を上記第１の上位項目から上記第２の上位項目に変更する構成である。
【発明の効果】
【００１０】
本発明の一態様によれば、電子文書における表示中の頁の位置付けを容易に把握することができるという効果を奏する。
【図面の簡単な説明】
【００１１】
【図１】本発明の実施形態１に係るテレビジョン受像機の構成を示すブロック図である。
【図２】本発明の実施形態１に係る電子文書データの構成例を示す図である。
【図３】本発明の実施形態１に係る電子文書画像の表示例を示す図である。
【図４】本発明の実施形態１に係る本文画像の頁送りに連動した目次画像の表示例を示す図である。
【図５】本発明の実施形態１に係る本文画像から目次画像へのカーソル移動の例を示す図である。
【図６】本発明の実施形態１に係る目次画像の操作に連動した電子文書画像の表示例を示す図である。
【図７】本発明の実施形態１に係る映像出力機器の例を示す図であり、（ａ）はテレビジョン受像機の例を示し、（ｂ）はビデオレコーダの例を示し、（ｃ）はＳＴＢの例を示す。
【図８】本発明の実施形態１に係るリモコンのキーの配置例を示す図である。
【図９】本発明の実施形態２に係るリンク先への移動時、および、そのリンク先からの戻り時の電子文書画像の表示例を示す図である。
【図１０】本発明の実施形態３に係る目次画像の自動スクロールの例を示す図であり、（ａ）は本文画像の頁めくりに連動した目次画像の自動スクロールの例を示し、（ｂ）は本文画像のリンク先への移動に連動した目次画像の自動スクロールの例を示す。
【図１１】本発明の実施形態４に係る本文画像でのカラーキーによる頁送り、頁戻しの表示例を示す図である。
【図１２】本発明の実施形態４に係る目次画像でのカラーキーによる頁送り、頁戻しの表示例を示す図である。
【発明を実施するための形態】
【００１２】
〔実施形態１〕
以下、本発明の実施の形態について、詳細に説明する。ただし、この実施形態に記載されている構成は、特に特定的な記載がない限り、この発明の範囲をそれのみに限定する趣旨ではなく、単なる説明例に過ぎない。
【００１３】
〈テレビジョン受像機の構成と概要〉
まず、本発明の実施形態１に係るテレビジョン受像機（以下、「テレビ」と略記）について、図１を参照して説明する。図１は、本発明の実施形態１に係るテレビ１の構成を示すブロック図である。図１に示すように、テレビ１は、アンテナ３から映像を受信して表示する機能に加えて、リモコン２により操作されて電子文書を表示する機能を有しており、電子文書画像生成部１１、メモリ１２、チューナ１３、ビデオデコーダ１４、映像処理部１５、重畳部１６、ＬＣＤコントローラ１７、および、ＬＣＤ（ディスプレイ）１８を備える。
【００１４】
電子文書画像生成部１１は、リモコン２からコマンドを受信し、そのコマンドに従って電子文書を表す画像を生成するものであり、コマンド受付部１１１、目次画像生成部１１２、本文画像生成部（頁画像生成部）１１３、および、画像合成部１１４を備える。コマンド受付部１１１は、リモコン２からユーザの操作に応じたコマンドを受け付けて、当該コマンドに応じた指示を目次画像生成部１１２および本文画像生成部１１３に行う。目次画像生成部１１２は、コマンド受付部１１１からの指示に従って、メモリ１２から目次データ１２２を読み出し、所定の処理を施すことにより、電子文書の目次を表す目次画像を生成し、当該目次画像を画像合成部１１４に出力する。本文画像生成部１１３は、コマンド受付部１１１からの指示に従って、メモリ１２から本文データ１２３を読み出し、所定の処理を施すことにより、電子文書の本文（の頁）を表す本文画像（頁画像）を生成し、当該本文画像を画像合成部１１４に出力する。なお、目次画像生成部１１２と、本文画像生成部１１３とは、必要に応じて制御情報のやりとりを行う。画像合成部１１４は、目次画像生成部１１２から目次画像を取得し、本文画像生成部１１３から本文画像を取得し、当該目次画像および当該本文画像を電子文書画像として合成し、電子文書画像データを重畳部１６に出力する。
【００１５】
メモリ１２は、電子文書データ１２１を記憶する。電子文書データ１２１は、例えば、テレビ１に関する電子取扱説明書のデータであり、目次データ１２２および本文データ１２３からなる。目次データ１２２は、電子文書の目次のデータであり、階層構造になっている。本文データ１２３は、電子文書の本文のデータであり、１以上の頁からなる。なお、目次データ１２２と、本文データ１２３とは、相互に対応付けられている。電子文書データ１２１の詳細は、後述する。
【００１６】
チューナ１３は、アンテナ３から所定のチャンネルの映像信号を取得し、ビデオデコーダ１４に出力する。ビデオデコーダ１４は、チューナ１３から映像信号を取得し、映像信号を復号して、映像データを映像処理部１５に出力する。映像処理部１５は、ビデオデコーダ１４から映像データを取得し、画質情報をもとにして、画像処理を実行することにより、取得した映像データの画質を調整し、重畳部１６に出力する。
【００１７】
重畳部１６は、電子文書画像生成部１１から電子文書画像データを取得し、映像処理部１５から映像データを取得し、当該電子文書画像データおよび当該映像データを重畳し、重畳した表示画像データをＬＣＤコントローラ１７に出力する。ＬＣＤコントローラ１７は、重畳部１６から表示画像データを取得し、当該表示画像データを表示するようにＬＣＤ１８を制御する。
【００１８】
〈データの構成〉
次に、本発明の実施形態１に係る電子文書データの構成について、図２を参照して説明する。図２は、本発明の実施形態１に係る電子文書データ１２１の構成例を示す図である。図２に示すように、電子文書データ１２１は、目次データ１２２および本文データ１２３からなり、目次データ１２２は、大項目（上位項目）および小項目（項目）を含む階層構造になっている。上位層である大項目と、下位層である１以上の小項目とが相互に対応付けられる。例えば、項目Ａと、項目Ａ−１、項目Ａ−２および項目Ａ−３とが対応付けられる。また、項目Ｂと、項目Ｂ−１、項目Ｂ−２および項目Ｂ−３とが対応付けられる。この対応付けを用いて、目次画像における小項目の表示、非表示の制御が行われる。
【００１９】
さらに、目次データ１２２の最下位層である各小項目と、本文データ１２３の各本文（１または複数の頁からなる）とが、１対１に対応付けられる。例えば、項目Ａ−１と、項目Ａ−１本文とが対応付けられ、項目Ａ−２と、項目Ａ−２本文とが対応付けられ、項目Ａ−３と、項目Ａ−３本文とが対応付けられる。また、項目Ｂ−１と、項目Ｂ−１本文とが対応付けられ、項目Ｂ−２と、項目Ｂ−２本文とが対応付けられ、項目Ｂ−３と、項目Ｂ−３本文とが対応付けられる。この対応付けを用いて、目次画像における、本文画像に対応する目次の展開表示および識別表示が行われる。
【００２０】
〈電子文書画像の表示〉
続いて、本発明の実施形態１に係るＬＣＤに表示される電子文書画像の例について、図３を参照して説明する。図３は、本発明の実施形態１に係る電子文書画像Ｄの表示例を示す図である。図３に示すように、電子文書画像Ｄは、目次画像Ｃおよび本文画像Ｔからなる。なお、電子文書画像Ｄは、リモコン２の取扱説明キーが押されたときに、ＬＣＤ１８の画面に表示される。
【００２１】
まず、目次画像Ｃには、当該画像が目次であることを示すテキスト（図示した例では、「---- 目次 ----」）が描画され、大項目および小項目が階層的に描画されている。次に、本文画像Ｔには、当該画像が項目Ａおよび項目Ａ−１の本文であることを示すテキスト（図示した例では、「項目Ａ」および「項目Ａ−１」）が描画され、その本文が描画され、さらに、頁送りボタンＢ１および頁戻りボタンＢ２（頁切り替えボタン）が描画される。また、図示した例では、頁送りボタンＢ１に、操作対象を示すカーソルが位置付いている。さらに、また、図示した例では、目次画像Ｃにおいて、項目Ａが展開され、項目Ａの下層である項目Ａ−１、項目Ａ−２、および、項目Ａ−３が描画されている。そして、本文画像Ｔとして表示されている本文に対応する項目Ａ−１がハイライト表示されている。これにより、本文に対応する項目Ａ−１が他の項目Ａ−２、および、項目Ａ−３と識別可能になる。
【００２２】
上記のような電子文書画像Ｄの生成は、例えば、次のような制御によって実現される。すなわち、リモコン２の取扱説明キーが押されると、図１に示すように、コマンド受付部１１１は、リモコン２から電子取扱説明書を表示するコマンドを受け付け、目次画像生成部１１２には、電子取扱説明書の１ページが含まれる項目のハイライト表示を含む目次画像Ｃの生成を指示し、本文画像生成部１１３には当該１ページの本文画像Ｔの生成を指示する。目次画像生成部１１２は、コマンド受付部１１１からの指示に従って、目次データ１２２を読み出し、項目Ａ−１のハイライト表示を含む目次画像Ｃを生成し、画像合成部１１４に出力する。本文画像生成部１１３は、コマンド受付部１１１からの指示に従って、本文データ１２３を読み出し、上記１ページの本文画像Ｔを生成し、画像合成部１１４に出力する。
【００２３】
図３に示す電子文書画像Ｄにおいて、リモコン２の決定キーが押されると、図１に示すように、コマンド受付部１１１は、リモコン２からカーソルが位置付く箇所に応じて処理するコマンドを受け付け、目次画像生成部１１２には、本文画像生成部１１３からの制御情報に従って目次画像Ｃを生成するように指示し、本文画像生成部１１３にはカーソルが位置付く箇所に応じて処理するように指示する。本文画像生成部１１３は、コマンド受付部１１１からの指示に従って、現在の本文画像Ｔにおいてカーソルが頁送りボタンＢ１に位置付いていることを認識し、次の頁（２ページ）を本文データ１２３から読み出して、本文画像Ｔを生成し、画像合成部１１４に出力するとともに、次の頁を含む目次の項目が現在の項目から変化する場合に、目次画像生成部１１２に対して、変化後の項目を示す識別情報を制御情報として送信する。目次画像生成部１１２は、本文画像生成部１１３から制御情報を受信したときに、制御情報の識別情報によって示される項目がハイライト表示された目次画像Ｃを生成し、画像合成部１１４に出力する。
【００２４】
図３に示すように、頁送りボタンＢ１および頁戻りボタンＢ２は、縦に並ぶように表示され、＜＞のように横並びにはしていない。これは、仮に横並びにした（左側に頁戻りボタン、右側に頁送りボタンを配置した）場合に、目次画像Ｃにカーソルが存在する状態で右キーを押したとき、本文画像Ｔの頁送りボタンにカーソルを当てるには、頁戻しボタンの上を通って移動する必要が生じるからであり、本文画像Ｔから目次画像Ｃに左キーで戻るには、２回押す必要があるからである。そのような操作は、不自然であり、かつ、繁雑で不便である。
【００２５】
それに対して、本実施形態のように、縦並びに表示すれば、目次画像Ｃから本文画像Ｔにカーソルを移動したときに、最初に頁送りボタンＢ１にカーソルが当たるので、非常に便利である。
【００２６】
なお、本実施形態に係る目次データ１２２および目次画像Ｃは、２階層に限らず、３以上の階層になっていてもよい。例えば、目次画像Ｃが大項目、中項目、小項目の３階層になっている場合に、本文画像Ｔとして表示されている本文に対応する小項目を目次画像Ｃに表示するときには、当該小項目を含む中項目が表示されるように、当該中項目を含む大項目を展開し、続いて、当該小項目が表示されるように、当該中項目を展開するようにしてもよい。これに限らず、他の展開方法であってもよい。
【００２７】
〈目次画像および本文画像の表示例〉
次に、本発明の実施形態１に係る本文画像の頁送りに連動した目次画像の変化について、図４を参照して説明する。図４は、本発明の実施形態１に係る本文画像Ｔの頁送りに連動した目次画像Ｃの表示例を示す図である。図４に示すように、リモコン２の操作による本文画像Ｔの頁送りおよび頁戻しに連動して、目次画像Ｃにおいて、本文画像Ｔとして現在表示されている頁（以下、「表示頁」と記載）に対応する小項目を含む大項目が展開され、当該小項目がハイライト表示されるとともに、操作前には展開されていたが、操作の結果、表示頁に対応する小項目を含まなくなった大項目は閉じられる。以下、詳細に説明する。
【００２８】
まず、左上に示される電子文書画像Ｄ４１では、カーソルが目次画像Ｃの項目Ｂ−１に位置付いており、本文画像Ｔとして項目Ｂ（Ｂ−１）の本文が表示される。ここで、リモコン２の（以下、省略）右キーが押されると、電子文書画像Ｄ４２に示すように、カーソルが頁送りボタンＢ１に位置付く。これによれば、カーソルが目次画像Ｃから本文画像Ｔに移動したときに、カーソルが頁送りボタンＢ１に位置付くので、次頁をめくり操作を優先してすぐに行うことができ、リモコン２の操作がしやすくなる。ここで、左キーが押されると、電子文書画像Ｄ４１に戻る。
【００２９】
電子文書画像Ｄ４２において、決定キーが２回押されると、電子文書画像Ｄ４３に示すように、本文画像Ｔとしては５３ページから２頁進んで５５ページが表示されるが、５３〜５５ページは同じ項目Ｂ（Ｂ−１）の本文に含まれるので、目次画像Ｃでハイライト表示される小項目は、項目Ｂ−１のままで変わらない。
【００３０】
詳細には、カーソルが頁送りボタンＢ１に位置付いた状態で決定キーが１回押されると、５４ページを表示するとともに、カーソルを頁送りボタンＢ１に再び位置付ける。その状態で決定キーがさらに１回押されると、５５ページを表示するとともに、カーソルを頁送りボタンＢ１に再び位置付ける。上記によれば、頁送りボタンＢ１で決定キーが押されたときに、カーソルを頁送りボタンＢ１に再び位置付けるので、頁送りボタンＢ１の連続押しが、リモコン２を用いても容易にできる。
【００３１】
電子文書画像Ｄ４３において、さらに決定キーが押されると、本文画像Ｔとしては５５ページから１頁進んで５６ページが表示されるが、５６ページは項目Ｂ（Ｂ−２）の本文に含まれるので、目次画像Ｃでハイライト表示される小項目が、項目Ｂ−１から項目Ｂ−２に変わる。
【００３２】
さらに、電子文書画像Ｄ４２において、下キーが押されると、電子文書画像Ｄ４５に示すように、カーソルが頁戻りボタンＢ２に位置付く。ここで、上キーが押されると、電子文書画像Ｄ４２に戻る。また、左キーが押されると、電子文書画像Ｄ４１に戻る。
【００３３】
電子文書画像Ｄ４５において、決定キーが押されると、電子文書画像Ｄ４６に示すように、本文画像Ｔとして項目Ａ（Ａ−３）の本文に含まれる５２ページが表示され、目次画像Ｃでは、項目Ｂが閉じられる一方で、項目Ａが展開されて、項目Ａ−３がハイライト表示される。
【００３４】
詳細には、カーソルが頁戻りボタンＢ２に位置付いた状態で決定キーが１回押されると、５２ページを表示するとともに、カーソルを頁送りボタンＢ１に再び位置付ける。上記によれば、頁戻りボタンＢ２で決定キーが押されたときに、カーソルを頁戻りボタンＢ２に再び位置付けるので、頁戻りボタンＢ２の連続押しが、リモコン２を用いても容易にできる。
【００３５】
電子文書画像Ｄ４６において、下キーが押されると、電子文書画像Ｄ４７に示すように、本文画像Ｔにおいて、本文中に表示されたリンク先である「項目Ｃ（Ｃ−２）」にカーソルが位置付く。このとき、決定キーが押されると、電子文書画像Ｄ４８に示すように、本文画像Ｔとしてリンク先の項目Ｃ（Ｃ−２）の本文の８８ページが表示され、目次画像Ｃでは、項目Ａが閉じられる一方で、項目Ｃが展開されて、項目Ｃ−２がハイライト表示される。
【００３６】
上記によれば、本文画像Ｔとして表示されている本文に対応する項目が、目次画像Ｃに表示され、しかも、その項目がハイライト表示されるので、本文全体のどこを参照しているかがすぐに分かる。また、頁送りボタンＢ１にカーソルを当てて、決定キーを押すことにより、印刷物の取扱説明書のように、最初の頁から順番に読んでいくといった読み方もできる。
【００３７】
続いて、本発明の実施形態１に係る本文画像から目次画像へのカーソル移動について、図５を参照して説明する。図５は、本発明の実施形態１に係る本文画像Ｔから目次画像Ｃへのカーソル移動の例を示す図である。図５に示すように、左キーを押す操作が行われて、本文画像Ｔから目次画像Ｃにカーソルが移動したときには、表示頁を含む本文に対応する小項目にカーソルが位置付く。上記操作の前には、当該小項目はハイライト表示されており、上記操作により、同じ小項目にさらにカーソルが位置付くことになる。以下、詳細に説明する。
【００３８】
右側の上から２番目の電子文書画像Ｄ５１において、本文画像Ｔとして項目Ａ（Ａ−３）の本文が表示され、カーソルが頁送りボタンＢ１に位置付いており、目次画像Ｃでは、本文に対応する小項目である項目Ａ−３がハイライト表示される。ここで、左キーが押されると、電子文書画像Ｄ５２に示すように、目次画像Ｃでは、本文に対応する小項目である項目Ａ−３にカーソルが位置付く。例えば、当該項目の上に、ハイライト表示とは別に、黄色い枠がカーソルとして表示される。このとき、項目Ａ−３、または、それを示すＩＤなどの識別情報によって、カーソルが位置付くべき小項目が特定される。
【００３９】
電子文書画像Ｄ５１において、決定キーが押されると、電子文書画像Ｄ５３に示すように、本文画像Ｔとして項目Ｂ（Ｂ−１）の本文が表示され、目次画像Ｃでは、当該本文に対応する小項目である項目Ｂ−１がハイライト表示される。ここで、左キーが押されると、電子文書画像Ｄ５４に示すように、目次画像Ｃでは、本文に対応する小項目である項目Ｂ−１にカーソルが位置付く。
【００４０】
電子文書画像Ｄ５１において、下キーが２回押されると、電子文書画像Ｄ５５に示すように、カーソルが頁送りボタンＢ１から頁戻りボタンＢ２を経て本文中のリンク表示に位置付く。ここで、決定キーが押されると、電子文書画像Ｄ５６に示すように、本文画像Ｔとしてリンク先の項目Ｃ（Ｃ−２）の本文が表示され、目次画像Ｃでは、本文に対応する小項目である項目Ｃ−２がハイライト表示される。
【００４１】
ここで、左キーが押されると、電子文書画像Ｄ５７に示すように、目次画像Ｃでは、本文に対応する小項目である項目Ｃ−２にカーソルが位置付く。
【００４２】
上記によれば、本文画像Ｔから目次画像Ｃにカーソルを移動したときに、本文画像Ｔの本文に対応する小項目にカーソルが位置付くので、目次画像Ｃにおいてカーソルを上下させることなく、本文に対応する小項目を迅速に選択することができる。
【００４３】
続いて、本発明の実施形態１に係る目次画像の操作および表示の変化について、図６を参照して説明する。図６は、本発明の実施形態１に係る目次画像Ｃの操作に連動した電子文書画像Ｄの表示例を示す図である。図６に示すように、目次画像Ｃにおいて、カーソルが大項目に位置付いた状態で、決定キーが押された場合に、当該大項目が閉じているときには、当該大項目が展開される一方、他に展開されている大項目があれば、その大項目は閉じられる。同様に、決定キーが押された場合に、当該大項目が展開されているときには、当該大項目は、閉じられる。さらに、カーソルが小項目に位置付いた状態で、決定キーが押された場合に、当該小項目に対応する本文の頁が本文画像Ｔとして表示される。以下、詳細に説明する。
【００４４】
左上の電子文書画像Ｄ６１では、カーソルが目次画像Ｃの項目Ａ−１に位置付いている。ここで、下キーが３回押されると、電子文書画像Ｄ６２に示すように、カーソルが項目Ｂに位置付く。ここで、決定キーが押されると、電子文書画像Ｄ６３に示すように、項目Ａが閉じられる一方、項目Ｂが展開される。さらに、決定キーが押されると、電子文書画像Ｄ６４に示すように、項目Ｂが閉じられる。ここで、決定キーが押されると、電子文書画像Ｄ６３に戻って、項目Ｂが展開される。
【００４５】
電子文書画像Ｄ６３において、下キーが押されると、電子文書画像Ｄ６５に示すように、カーソルが項目Ｂ−１に位置付く。ここで、決定キーが押されると、電子文書画像Ｄ６６に示すように、本文画像Ｔとして、目次画像Ｃでカーソルが位置付いている項目Ｂ（Ｂ−１）の本文が表示される。
【００４６】
電子文書画像Ｄ６５において、下キーが３回押されると、電子文書画像Ｄ６７に示すように、カーソルが項目Ｃに位置付く。ここで、決定キーが押されると、電子文書画像Ｄ６８に示すように、項目Ｂが閉じられる一方、項目Ｃが展開される。
【００４７】
上記においては、本実施形態がテレビ受像機に適用されるように説明したが、テレビ受像機に限られず、映像出力機器全般に適用可能であり、例えば、ビデオレコーダ、ケーブルテレビのＳＴＢ（Set Top Box）などに適用してもよい。また、ＵＳＢドングル型のＳＴＢに適用してもよい。図７は、本発明の実施形態１に係る映像出力機器の例を示す図である。図７（ａ）はテレビジョン受像機の例を示し、図７（ｂ）はビデオレコーダの例を示し、図７（ｃ）はＳＴＢの例を示す。
【００４８】
さらに、本発明の実施形態１に係るリモコンのキーの配置について、図８を参照して説明する。図８は、本発明の実施形態１に係るリモコン２のキーの配置例を示す図である。図８に示すように、リモコン２の上面には、例えば、取扱説明キー２０、決定キー２１、戻るキー２２、上キー２３、下キー２４、左キー２５、右キー２６、黄キー２７、緑キー２８、赤キー２９、および、青キー２１０が配置されている。取扱説明キー２０は、ＬＣＤ１８の画面に電子文書画像Ｄを表示する際に操作される。決定キー２１、上キー２３、下キー２４、左キー２５、および、右キー２６の操作に関しては、上記において説明した通りである。戻るキー２２、黄キー２７、緑キー２８、赤キー２９、および、青キー２１０の操作に関しては、後述する。
【００４９】
〔実施形態２〕
本発明の実施形態２に係る電子文書画像Ｄの表示例について、図９を参照して説明する。なお、本発明の実施形態２に係るテレビジョン受像機１および電子文書画像Ｄの構成は、実施形態１と同様である。
【００５０】
図９は、本発明の実施形態２に係るリンク先への移動時、および、そのリンク先からの戻り時の電子文書画像Ｄの表示例を示す図である。図９に示すように、電子文書画像Ｄ９１において、本文画像Ｔとして項目Ａ（Ａ−３）の本文に含まれる５２ページが表示され、その本文中にリンク先である「項目Ｃ（Ｃ−２）」が表示され、その「項目Ｃ（Ｃ−２）」にカーソルが位置付いている。目次画像Ｃでは、項目Ａが展開されており、本文に対応する項目Ａ−３がハイライト表示される。
【００５１】
電子文書画像Ｄ９１において、決定キーが押されると、電子文書画像Ｄ９２に示すように、本文画像Ｔとしてリンク先である項目Ｃ（Ｃ−２）の本文が表示される。それと同時に、目次画像Ｃでは、項目Ａが展開され、項目Ａ−３がハイライト表示されたままであり、項目Ｂが削除され、その箇所にスペースが設けられ、さらに項目Ｃが展開されて、本文に対応する項目Ｃ−２がハイライト表示される。すなわち、目次画像Ｃは、本文画像Ｔとして表示されていた元の本文に対応する項目（大項目、および、小項目）と、現在表示中のリンク先の本文に対応する項目とに分かれて表示される。なお、リンク先の本文表示が連続して行われた場合に、目次画像Ｃを３個、４個、・・・に分離して表示してもよい。
【００５２】
電子文書画像Ｄ９２において、戻るキーが押されると、電子文書画像Ｄ９１に戻って、項目Ａ（Ａ−３）の本文が表示されるとともに、項目Ｂが表示され、項目Ｃが閉じるとともに、項目Ａが展開されて、項目Ａ−３がハイライト表示される。
【００５３】
上記によれば、本文画像Ｔを本文中のリンク先に移動したときに、移動前に表示されていた本文の項目がハイライト表示されているので、戻るキーを押したときに戻る箇所がすぐに分かる。従って、リンク先の頁に迅速に移動できるとともに、元の頁に戻ることも容易にできる。
【００５４】
なお、本発明の実施形態２は、本文画像Ｔに表示されたリンク先への移動、および、そのリンク先からの戻りに関するものであり、実施形態１のうち、図５の電子文書画像Ｄ５６の表示例に代わるものであるが、それ以外の表示例とは共に適用可能である。
【００５５】
〔実施形態３〕
本発明の実施形態３に係る電子文書画像Ｄの表示例について、図１０を参照して説明する。なお、本発明の実施形態３に係るテレビジョン受像機１および電子文書画像Ｄの構成は、実施形態１と同様である。
【００５６】
図１０は、本発明の実施形態３に係る目次画像Ｃの自動スクロールの例を示す図である。図１０（ａ）は、本文画像Ｔの頁めくりに連動した目次画像Ｃの自動スクロールの例を示す。図１０（ａ）に示すように、目次画像Ｃを表示するときには、以下の優先順位に従う。
（１）項目Ａから順に表示する。
（２）ハイライト表示すべき小項目が表示領域に含まれない場合に、当該小項目が表示領域の最下部に表示される程度に目次画像Ｃをスクロールする。
【００５７】
以下、詳細に説明する。
【００５８】
電子文書画像Ｄ１０１において、本文画像Ｔとして項目Ｄ（Ｄ−５）の本文が表示されているので、目次画像Ｃでは、項目Ｄ−５がハイライト表示される。項目Ｄは、項目Ｄ−１〜Ｄ−６を含むものとする。そして、ハイライト表示すべき項目Ｄ−５を目次画像Ｃの表示領域に入れる必要があるが、項目Ａから順に表示したとしても、項目Ｄ−５が表示領域に入るので、項目Ａから表示する。なお、本文画像Ｔでは、頁送りボタンＢ１にカーソルが位置付いている。
【００５９】
ここで、決定キーが押されると、電子文書画像Ｄ１０２に示すように、本文画像Ｔとして項目Ｄ（Ｄ−６）の本文が表示されるので、目次画像Ｃでは、項目Ｄ−６がハイライト表示される。詳細には、項目Ａから表示すると、項目Ｄ−６が表示領域に入らないので、項目Ｄ−６が表示領域の最下部に表示される程度に目次画像Ｃをスクロールする。スクロールの結果、項目Ａが見えなくなっている。なお、本文画像Ｔでは、頁送りボタンＢ１にカーソルが位置付いている。
【００６０】
さらに、決定キーが押されると、電子文書画像Ｄ１０３に示すように、本文画像Ｔとして項目Ｅ（Ｅ−１）の本文が表示されるので、目次画像Ｃでは、項目Ｅ−１がハイライト表示される。詳細には、大項目が項目Ｄから項目Ｅに移動するので、項目Ｄが閉じられる一方、項目Ｅが展開されて、項目Ｅ−１がハイライト表示される。項目Ｅは、項目Ｅ−１〜Ｅ−３を含む。そして、項目Ａから表示しても項目Ｅ−１が表示領域に入るので、項目Ａから表示するようにスクロールする。
【００６１】
図１０（ｂ）は、本文画像Ｔのリンク先への移動に連動した目次画像Ｃの自動スクロールの例を示す。図１０（ｂ）に示すように、電子文書画像Ｄ１０４において、本文画像Ｔとして項目Ａ（Ａ−３）の本文が表示され、その本文中にリンク先である「項目Ｈ（Ｈ−２）」が表示され、そのリンク先にカーソルが位置付く。目次画像Ｃでは、項目Ａ−３がハイライト表示される。
【００６２】
ここで、決定キーが押されると、電子文書画像Ｄ１０５に示すように、本文画像Ｔとして、リンク先である項目Ｈ（Ｈ−２）の本文が表示されるので、目次画像Ｃでは、項目Ｈ−２がハイライト表示される。詳細には、項目Ａから表示すると、項目Ｈ−２が表示領域に入らないので、項目Ｈ−２が表示領域の最下部に表示される程度に目次画像Ｃをスクロールする。スクロールの結果、項目Ａが見えなくなっている。
【００６３】
なお、本発明の実施形態３は、目次画像Ｃの自動スクロールに関するものであり、実施形態１と共に適用可能である。
【００６４】
〔実施形態４〕
本発明の実施形態４に係る電子文書画像Ｄの表示例について、図１１および図１２を参照して説明する。なお、本発明の実施形態４に係るテレビジョン受像機１および電子文書画像Ｄの構成は、実施形態１と同様である。
【００６５】
図１１は、本発明の実施形態４に係る本文画像Ｔでのカラーキーによる頁送り、頁戻しの表示例を示す図である。図１１に示すように、リモコンの黄キーおよび緑キーを押すことにより、頁の送りおよび戻しが可能になる。そして、その頁送りおよび頁戻しの動作と同時に、カーソルは、本文画像Ｔの頁送りボタンＢ１および頁戻しボタンＢ２に位置付く。以下、詳細に説明する。
【００６６】
一番上の電子文書画像Ｄ１１１において、本文画像Ｔとして項目Ａ（Ａ−３）の本文に含まれる２７ページが表示され、目次画像Ｃでは、項目Ａが展開され、項目Ａ−３がハイライト表示される。そして、カーソルが項目Ａ−３に位置付く。ここで、黄キーが押されると、電子文書画像Ｄ１１２に示すように、本文画像Ｔとして項目Ｂ（Ｂ−１）の本文に含まれる２８ページが表示され、目次画像Ｃでは、項目Ａが閉じられる一方、項目Ｂが展開され、項目Ｂ−１がハイライト表示される。そして、頁送り動作と同時に、カーソルが本文画像Ｔに移動し、頁送りボタンＢ１に位置付く。
【００６７】
電子文書画像Ｄ１１２において、黄キーまたは決定キーが押されると、電子文書画像Ｄ１１３に示すように、本文画像Ｔとして項目Ｂ（Ｂ−１）の本文のうち、２８ページから１頁進んで２９ページが表示されるが、項目Ｂ−１の中での頁送りなので、目次画像Ｃの表示は変わらない。本文画像Ｔのカーソルの位置も変わらない。さらに、黄キーまたは決定キーが押されると、同様に２９ページから１頁進んで３０ページに頁送りが行われる。
【００６８】
電子文書画像Ｄ１１３において、緑キーが押されると、電子文書画像Ｄ１１４に示すように、本文画像Ｔとして項目Ｂ（Ｂ−１）の本文のうち、２９ページから１頁戻って２８ページが表示されるが、項目Ｂ−１の中での頁戻しなので、目次画像Ｃの表示は変わらない。カーソルは、頁戻し動作と同時に、頁戻しボタンＢ２に位置付く。
【００６９】
電子文書画像Ｄ１１１において、緑キーが押されると、電子文書画像Ｄ１１５に示すように、本文画像Ｔとして項目Ａ（Ａ−３）の本文のうち、２７ページから１頁戻って２６ページが表示されるが、項目Ａ−３の中での頁戻しなので、目次画像Ｃの表示は変わらない。そして、頁戻し動作と同時に、カーソルが頁戻しボタンＢ２に位置付く。
【００７０】
電子文書画像Ｄ１１５において、緑キーまたは決定キーが押されると、電子文書画像Ｄ１１６に示すように、本文画像Ｔとして項目Ｂ（Ｂ−１）の本文のうち、２６ページから１頁戻って２５ページが表示されるが、項目Ｂ−１の中での頁戻しなので、目次画像Ｃの表示は変わらない。本文画像Ｔのカーソルの位置も変わらない。さらに、緑キーまたは決定キーが押されると、同様に２５ページから１頁戻って２４ページに頁戻しが行われる。
【００７１】
電子文書画像Ｄ１１６において、黄キーが押されると、電子文書画像Ｄ１１７に示すように、本文画像Ｔとして項目Ａ（Ａ−３）の本文のうち、２５ページから１頁進んで２６ページが表示されるが、項目Ａ−３の中での頁送りなので、目次画像Ｃの表示は変わらない。そして、頁送り動作と同時に、カーソルは、頁送りボタンＢ１に位置付く。
【００７２】
上記によれば、黄キーおよび緑キーを用いることにより、わざわざ本文画像Ｔの頁送りボタンＢ１および頁戻しボタンＢ２にカーソルを位置付けなくても済み、１回の操作（ワンタッチ）で頁送りおよび頁戻しができるので、非常に操作性がよく、便利である。また、黄キーおよび緑キーが押されると、カーソルが頁送りボタンＢ１および頁戻しボタンＢ２に位置付くので、本文画像Ｔでカーソルを移動したい場合に、操作性がよい。仮にカラーキーを使わずに、頁送りまたは頁戻しを行う場合には、頁送りボタンＢ１または頁戻しボタンＢ２にカーソルを位置付けてから、決定キーを押す必要がある。
【００７３】
図１２は、本発明の実施形態４に係る目次画像Ｃでのカラーキーによる頁送り、頁戻しの表示例を示す図である。図１２に示すように、カーソルが目次画像Ｃに位置付いている場合でも、リモコンの赤キーおよび青キーを押すことにより、頁の送りおよび戻しが可能になる。以下、詳細に説明する。
【００７４】
電子文書画像Ｄ１２１において、本文画像Ｔとして項目Ａ（Ａ−３）の本文が表示され、目次画像Ｃでは、項目Ａが展開され、項目Ａ−３がハイライト表示される。そして、カーソルが項目Ａ−３に位置付く。ここで、赤キーが押されると、電子文書画像Ｄ１２２に示すように、本文画像Ｔとして項目Ｂ（Ｂ−１）の本文が表示され、目次画像Ｃでは、項目Ａが閉じられる一方、項目Ｂが展開され、項目Ｂ−１がハイライト表示される。そして、カーソルが項目Ｂ−１に位置付く。
【００７５】
上記によれば、カーソルは目次画像Ｃに位置付いたままであるので、主として目次を頼りに頁を移動する操作の最中に、一時的に１頁ずつ頁を送り戻ししたい場合に、非常に操作性がよく、便利である。仮にカラーキーを使わずに、頁送りまたは頁戻しを行う場合には、小項目にカーソルを位置付けてから、決定キーを押す必要がある。
【００７６】
なお、本発明の実施形態４は、カラーキーによる頁めくりに関するものであり、実施形態１と共に適用可能である。
【００７７】
〔ソフトウェアによる実現例〕
図１に示すテレビ１の各機能ブロック（特に、電子文書画像生成部１１、コマンド受付部１１１、目次画像生成部１１２、本文画像生成部１１３、画像合成部１１４）は、集積回路（ＩＣチップ）等に形成された論理回路（ハードウェア）によって実現してもよいし、ＣＰＵ（Central Processing Unit）を用いてソフトウェアによって実現してもよい。
【００７８】
後者の場合、テレビ１は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）等を備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７９】
〔まとめ〕
本発明の態様１に係る画像表示装置（テレビジョン受像機１）は、電子文書を表す画像をディスプレイに表示する画像表示装置であって、上記電子文書の２以上の階層を有する目次を表す目次画像（Ｃ）であって、上記ディスプレイに表示する目次画像を生成する目次画像生成部（１１２）と、上記電子文書の頁を表す頁画像（本文画像Ｔ）であって、上記ディスプレイに表示する頁画像を生成する頁画像生成部（本文画像生成部１１３）と、を備え、上記目次画像生成部は、上記頁画像生成部が生成する頁画像に対応する項目を含む上位項目が第１の上位項目から第２の上位項目に変化したことを契機として、生成する目次画像において展開する上位項目を上記第１の上位項目から上記第２の上位項目に変更する。
【００８０】
上記の構成によれば、電子文書の頁を切り替えたときに、連動して頁に対応する目次の上位項目を展開して表示する。すなわち、ある頁が表示されたときに、その頁に対応する目次の項目が同時に参照可能になる。従って、電子文書において現在表示されている頁（以下、「表示頁」と記載）の位置付けを容易に把握することができる。
【００８１】
本発明の態様２に係る画像表示装置は、上記態様１において、上記目次画像生成部が生成する目次画像には、上記頁画像生成部が生成する頁画像に対応する項目が、当該項目を含む上位項目に含まれる他の項目と識別可能に描画されることとしてもよい。
【００８２】
上記の構成によれば、表示頁に対応する目次の項目を、他の項目と識別可能に描画する。従って、表示頁に対応する項目がすぐに分かり、電子文書における表示頁の位置付けをさらに容易に把握することができる。
【００８３】
本発明の態様３に係る画像表示装置は、上記態様１および２において、上記目次画像生成部が、上記頁画像生成部が生成する頁画像に対応する項目を含む上位項目が第１の上位項目から第２の上位項目に変化したことを契機として、生成する目次画像において展開されていた上記第１の上位項目を閉じることとしてもよい。
【００８４】
上記の構成によれば、電子文書の頁を切り替えたときに、連動して、表示頁に対応する目次の項目を含まない上位項目を閉じて表示する。すなわち、表示頁に対応する目次の上位項目に含まれない他の項目が表示されなくなる。従って、不要な目次の項目表示がなくなるので、表示頁とは直接関係のない目次を見ずに済むとともに、目次画像の表示サイズを減らすことができ、目次画像におけるカーソルの移動を少なくすることができる。
【００８５】
本発明の態様４に係る画像表示装置は、上記態様１から３において、上記目次画像の一部を表示するものであり、上記頁画像生成部が生成する頁画像に対応する項目が表示対象から外れているときに、当該項目が表示対象に含まれるように、上記目次画像をスクロールすることとしてもよい。
【００８６】
上記の構成によれば、目次画像の表示領域に表示頁に対応する目次の項目が含まれず、そのまま表示しても当該目次の項目が参照できない場合でも、上記目次画像のスクロールにより、上記目次の項目が上記表示対象に含まれるようになるので、上記目次の項目を参照することができる。
【００８７】
本発明の態様５に係る画像表示装置は、上記態様１から４において、操作対象が上記頁画像から上記目次画像に切り替えられたときに、上記目次画像生成部が、生成する目次画像を、上記頁画像生成部が生成する頁画像に対応する項目が操作対象であることを示すように描画された目次画像に切り替えることとしてもよい。
【００８８】
上記の構成によれば、操作対象が頁画像から目次画像に切り替えられたときに、表示頁に対応する目次の項目が操作対象であることが示されるので、迅速に表示頁に対応する項目を確認し、選択することができる。
【００８９】
本発明の態様６に係る画像表示装置は、上記態様１から５において、上記頁画像生成部が生成する頁画像には、上記頁画像を切り替えるための頁切り替えボタンが含まれ、操作対象が上記目次画像から上記頁画像に切り替えられたときに、上記頁画像生成部は、生成する頁画像を、上記頁切り替えボタンが操作対象であることを示すように描画された頁画像に切り替えることとしてもよい。
【００９０】
上記の構成によれば、操作対象が頁画像から目次画像に切り替えられたときに、頁切り替えボタンが操作対象であることが示されるので、頁を切り替える操作を優先してすぐに行うことができる。
【００９１】
本発明の態様７に係る画像表示装置は、上記態様１から６において、上記頁画像生成部が生成する頁画像には、上記頁画像を切り替えるための頁切り替えボタンが含まれ、上記頁画像が切り替えられたときに、上記頁画像生成部が、生成する頁画像を、上記頁切り替えボタンが操作対象であることを示すように描画された頁画像に切り替えることとしてもよい。
【００９２】
上記の構成によれば、頁画像が切り替えられたときに、頁切り替えボタンが操作対象であることが示されるので、頁を切り替える操作を連続して行うことができる。
【００９３】
本発明の態様８に係る画像表示装置は、上記態様１から７において、上記頁画像生成部が、リモコン（２）でカラーキーが押されたときに、上記頁画像を切り替えることとしてもよい。
【００９４】
上記の構成によれば、操作対象が頁画像であっても、目次画像であっても、リモコンのカラーキーの操作だけで頁を切り替えることができる。
【００９５】
本発明の態様９に係るテレビジョン受像機は、上記態様１から８の画像表示装置を備えている。
【００９６】
本発明の態様１０に係る画像表示方法は、電子文書を表す画像をディスプレイに表示する画像表示方法であって、上記電子文書の２以上の階層を有する目次を表す目次画像であって、上記ディスプレイに表示する目次画像を生成する目次画像生成ステップと、上記電子文書の頁を表す頁画像であって、上記ディスプレイに表示する頁画像を生成する頁画像生成ステップと、を実行し、上記目次画像生成ステップにおいて、上記頁画像生成ステップで生成される頁画像に対応する項目を含む上位項目が第１の上位項目から第２の上位項目に変化したことを契機として、生成する目次画像において展開する上位項目を上記第１の上位項目から上記第２の上位項目に変更する。
【００９７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９８】
本発明は、電子文書を表す画像をディスプレイに表示する画像表示装置に利用することができる。
【符号の説明】
【００９９】
１  テレビジョン受像機（画像表示装置）
１１２  目次画像生成部
１１３  本文画像生成部（頁画像生成部）
２  リモコン
Ｃ  目次画像
Ｔ  本文画像（頁画像）
【図１】
2016072298.tif 000003
【図２】
2016072298.tif 000004
【図３】
2016072298.tif 000005
【図４】
2016072298.tif 000006
【図５】
2016072298.tif 000007
【図６】
2016072298.tif 000008
【図７】
2016072298.tif 000009
【図８】
2016072298.tif 000010
【図９】
2016072298.tif 000011
【図１０】
2016072298.tif 000012
【図１１】
2016072298.tif 000013
【図１２】
2016072298.tif 000014
【国際調査報告】
2016072298.tif 000015
2016072298.tif 000016
2016072298.tif 000017
2016072298.tif 000018